【手続補正書】
【提出日】平成18年6月5日(2006.6.5)
【手続補正１】
【補正対象書類名】明細書
【補正対象項目名】全文
【補正方法】変更
【補正の内容】
【書類名】  明細書
【発明の名称】  記録媒体制御装置
【特許請求の範囲】
【請求項１】  再生データおよび再生データに付随する補助情報の組を一つ以上有し、前記補助情報が前記再生データの末尾に連続して記録された記録媒体に対し、
再生制御部に従って、再生データアクセス制御部によって前記記録媒体から再生データを再生するための再生データアクセスを行う再生データアクセス制御と、補助情報アクセス制御部によって前記記録媒体から補助情報取得を行うための補助情報アクセスを行う補助情報アクセス制御と、を行うために、
システム制御部によって、前記記録媒体を回転させるスピンドルモータと、前記記録媒体からデータを読み取るためのピックアップと、前記ピックアップを移動させるトラバースモータの制御を行う記録媒体制御装置であって、
前記記録媒体に記録された再生データに付随する補助情報を格納する補助情報格納部と、
次に再生する再生データである次再生データの補助情報が前記補助情報格納部に存在するか否かに応じてアクセス指示を発生させるかどうかを判定する補助情報アクセス要否判定部とを有し、
前記次再生データを再生する際、
前記次再生データに付随する補助情報が前記補助情報格納部に存在しない場合、前記補助情報アクセス要否判定部は前記補助情報アクセス制御部に対して補助情報アクセス指示を発生し、前記補助情報アクセス制御部は、前記システム制御部によってトラバースモータが当該次再生データを通過して当該次再生データの末尾まで移動するよう制御を行って前記記録媒体から当該次再生データの末尾に連続して記録された当該次再生データに付随する補助情報を取得し、
前記次再生データに付随する補助情報が前記補助情報格納部に存在する場合、前記補助情報アクセス要否判定部は前記補助情報アクセス制御部に対して補助情報アクセス指示を発生せず、前記補助情報アクセス制御部は、前記補助情報格納部から当該次再生データに付随する補助情報を取得することを特徴とする記録媒体制御装置。
【請求項２】  再生データおよび再生データに付随する補助情報の組を一つ以上有し、前記補助情報が前記再生データの末尾に連続して記録された記録媒体に対し、
再生制御部に従って、再生データアクセス制御部によって前記記録媒体から再生データを再生するための再生データアクセスを行う再生データアクセス制御と、補助情報アクセス制御部によって前記記録媒体から補助情報取得を行うための補助情報アクセスを行う補助情報アクセス制御と、を行うために、
システム制御部によって、前記記録媒体を回転させるスピンドルモータと、前記記録媒体からデータを読み取るためのピックアップと、前記ピックアップを移動させるトラバースモータの制御を行う記録媒体制御装置であって、
再生データおよび再生データに付随する補助情報の組を記録媒体上で識別可能なユニークＩＤである再生ＩＤにより管理する再生ＩＤ管理テーブル部と、
再生データに付随する補助情報を格納する補助情報格納部と、
現在再生している再生データの再生ＩＤである現再生ＩＤを記憶する再生ＩＤ記憶部と、
次に再生する再生データの再生ＩＤである次再生ＩＤと前記再生ＩＤ記憶部に記憶した前記現再生ＩＤとを比較する再生ＩＤ比較部と、
前記再生ＩＤ比較部の比較結果により補助情報アクセス指示を発生させるかどうかを判定する補助情報アクセス要否判定部とを有し、
前記次再生ＩＤに対応する再生データを再生する際、
前記次再生ＩＤと前記再生ＩＤ記憶部に記憶した前記現再生ＩＤとを前記再生ＩＤ比較部により比較して等しくない場合、前記補助情報アクセス要否判定部は前記補助情報アクセス制御部に対して補助情報アクセス指示を発生し、前記補助情報アクセス制御部は、前記システム制御部によってトラバースモータが当該次再生ＩＤに対応する再生データを通過して当該次再生ＩＤに対応する再生データの末尾まで移動するよう制御を行って前記記
録媒体から当該次再生ＩＤに対応する再生データの末尾に連続して記録された当該次再生ＩＤに対応する再生データに付随する補助情報を取得し、
前記次再生ＩＤと前記再生ＩＤ記憶部に記憶した前記現再生ＩＤとを前記再生ＩＤ比較部により比較して等しい場合、前記補助情報アクセス要否判定部は前記補助情報アクセス制御部に対して補助情報アクセス指示を発生せず、前記補助情報アクセス制御部は、前記補助情報格納部から当該次再生ＩＤに対応する再生データに付随する補助情報を取得することを特徴とする記録媒体制御装置。
【請求項３】  再生データおよび再生データに付随する補助情報の組を一つ以上有し、前記補助情報が前記再生データの末尾に連続して記録された記録媒体に対し、
再生制御部に従って、再生データアクセス制御部によって前記記録媒体から再生データを再生するための再生データアクセスを行う再生データアクセス制御と、補助情報アクセス制御部によって前記記録媒体から補助情報取得を行うための補助情報アクセスを行う補助情報アクセス制御と、を行うために、
システム制御部によって、前記記録媒体を回転させるスピンドルモータと、前記記録媒体からデータを読み取るためのピックアップと、前記ピックアップを移動させるトラバースモータの制御を行う記録媒体制御装置であって、
再生データに付随する補助情報を格納する補助情報格納部と、
現在再生している再生データである現再生データを繰り返し再生する繰り返し再生指示が出ているかどうかを判定する繰り返し再生判定部と、
前記繰り返し再生判定部の判定結果により補助情報アクセス指示を発生させるかどうかを判定する補助情報アクセス要否判定部とを有し、
次に再生する再生データである次再生データを再生する際、
前記再生制御部が前記現再生データを繰り返し再生するよう制御しない場合、前記補助情報アクセス要否判定部は前記補助情報アクセス制御部に対して補助情報アクセス指示を発生し、前記補助情報アクセス制御部は、システム制御部によってトラバースモータが当該次再生データを通過して当該次再生データの末尾まで移動するよう制御を行って前記記録媒体から当該次再生データの末尾に連続して記録された当該次再生データに付随する補
助情報を取得し、
前記再生制御部が前記現再生データを繰り返し再生するよう制御する場合、繰り返し再生のための再生データアクセスによる前記現再生データの再生の際、前記補助情報アクセス要否判定部は前記補助情報アクセス制御部に対して補助情報アクセス指示を発生せず、前記補助情報アクセス制御部は、前記補助情報格納部から前記現再生データに付随する補助情報を取得することを特徴とする記録媒体制御装置。
【請求項４】  再生データおよび再生データに付随する補助情報の組を一つ以上有し、前記補助情報が前記再生データの末尾に連続して記録された記録媒体に対し、
再生制御部に従って、再生データアクセス制御部によって前記記録媒体から再生データを再生するための再生データアクセスを行う再生データアクセス制御と、補助情報アクセス制御部によって前記記録媒体から補助情報取得を行うための補助情報アクセスを行う補助情報アクセス制御と、を行うために、
システム制御部によって、前記記録媒体を回転させるスピンドルモータと、前記記録媒体からデータを読み取るためのピックアップと、前記ピックアップを移動させるトラバースモータの制御を行う記録媒体制御装置であって、
再生データに付随する補助情報を格納する補助情報格納部と、
現在再生している再生データである現再生データの先頭あるいは現再生データの現在の再生位置より前の地点にアクセスして再生を開始する再生データアクセス制御を行う指示が発せられたかどうかを判定するリバーススキップキー判定部と、
前記リバーススキップキー判定部の判定結果により補助情報アクセス指示を発生させるかどうかを判定する補助情報アクセス要否判定部とを有し、
次に再生する再生データである次再生データを再生する際、
前記再生制御部が前記現再生データの先頭あるいは前記現再生データの現在の再生位置より前の地点にアクセスして再生を開始する再生データアクセス制御を行わない場合、前記補助情報アクセス要否判定部は前記補助情報アクセス制御部に対して補助情報アクセス指示を発生し、前記補助情報アクセス制御部は、システム制御部によってトラバースモータが当該次再生データを通過して当該次再生データの末尾まで移動するよう制御を行って前記記録媒体から当該次再生データの末尾に連続して記録された当該次再生データに付随する補助情報を取得し、
前記再生制御部が前記現再生データの先頭あるいは前記現再生データの現在の再生位置より前の地点にアクセスして再生を開始する再生データアクセス制御を行う場合、前記補助情報アクセス要否判定部は前記補助情報アクセス制御部に対して補助情報アクセス指示を発生せず、前記補助情報アクセス制御部は、前記補助情報格納部から前記現再生データに付随する補助情報を取得することを特徴とする記録媒体制御装置。
【請求項５】  前記補助情報格納部が再生データに付随する補助情報を再生ＩＤと対応させて複数格納する補助情報履歴格納部であり、前記再生ＩＤ記憶部が過去に再生した再生データの再生ＩＤを複数記憶する再生ＩＤ履歴記憶部であり、次に再生する再生データの再生ＩＤである次再生ＩＤと前記再生ＩＤ比較部が前記再生ＩＤ履歴記憶部に記憶した複数の再生ＩＤとを比較して一致するものがある場合、前記次再生ＩＤの再生データを再生する際、補助情報アクセス要否判定部は補助情報アクセス制御部に対して補助情報アクセス指示を発生せず、前記補助情報アクセス制御部は、再生ＩＤをもとに前記補助情報履
歴格納部から前記次再生ＩＤの再生データに付随する補助情報を取得すること特徴とする請求項２に記載の記録媒体制御装置。
【請求項６】  前記補助情報格納部が、再生データに付随する補助情報を再生ＩＤと対応させて複数格納する補助情報履歴格納部であり、前記再生ＩＤ記憶部が過去に再生した再生データの再生ＩＤを複数記憶する再生ＩＤ履歴記憶部であり、さらに前記再生ＩＤ履歴記憶部により記憶した再生ＩＤを監視し、再生頻度の少ない稀再生ＩＤに関しては、前記再生ＩＤ履歴記憶部から前記稀再生ＩＤを削除し、同時に、前記補助情報履歴格納部から前記稀再生ＩＤに対応する補助情報を削除する再生頻度判定部を有し、次に再生する再生データの再生ＩＤである次再生ＩＤと前記再生ＩＤ履歴記憶部に記憶した複数の再生Ｉ
Ｄとを前記再生ＩＤ比較部により比較して一致するものがある場合、前記次再生ＩＤの再生データを再生する際、前記補助情報アクセス要否判定部は前記補助情報アクセス制御部に対して補助情報アクセス指示を発生せず、前記補助情報アクセス制御部は、再生ＩＤをもとに前記補助情報履歴格納部から次再生ＩＤの再生データに付随する補助情報を取得することを特徴とする請求項２に記載の記録媒体制御装置。
【請求項７】  前記再生ＩＤ管理テーブル部が、再生データおよび再生データに付随する補助情報の組を記録媒体上で識別可能なユニークＩＤと、前記記録媒体を複数の記録媒体群の中から識別可能なユニークＩＤの両者を再生ＩＤとして管理することを特徴とする請求項５または請求項６に記載の記録媒体制御装置。
【請求項８】  前記補助情報が前記記録媒体上の前記再生データへのアクセスに必要な情報とは異なる書誌情報であることを特徴とする請求項１に記載の記録媒体制御装置。
【請求項９】  前記再生データとそれに対応する前記補助情報とが前記記録媒体上の連続する領域に記憶されていることを特徴とする請求項１に記載の記録媒体制御装置。
【発明の詳細な説明】
【０００１】
【発明の属する技術分野】
本発明は、記録媒体から再生データを読み出す場合に消費電力を抑制して電池動作持続時間の増大を図るための記録媒体制御装置に関し、さらに詳しくは再生データおよび再生データに付随する補助情報の組が一つ以上記録された記録媒体から補助情報を読み出す場合に、消費電力を抑制して電池動作持続時間の増大を図るものである。
【０００２】
【従来の技術】
従来、この種の記録媒体制御装置において電池動作時間の増大を目的としたものとしては、例えば、特許文献１に記載されているものがあった。以下、この特許文献１に記載された内容について説明する。
【０００３】
線速度一定で回転駆動されるデイスクからデ−タを光学ヘッドにより読み出し、その出力信号から生成されたエラ−信号に基づいて光学ヘッド及びスピンドルモ−タのサ−ボ制御を行う。光学ヘッドからの出力信号にデコ−ド処理を施してデ−タを一旦メモリに記憶し、デコ−ド部から出力されたデ−タの書き込み速度よりも遅い読み出し速度でデ−タの読み出しを行う。光学ヘッドによりデイスクに記録されたデ−タを読み出してメモリに書き込む第１の期間と、デ−タの読み出しを停止してメモリに記憶されデ−タの読み出しのみを行う第２の期間とを交互に設定してデイスクに記録されたデ−タを間欠的に読みだすように光学ヘッドとメモリをコントロ−ラにより制御し、第２の期間中サ−ボ制御部のサ−ボ制御動作を停止させる。このことにより、記録媒体制御装置は、無駄な電力の消費
を抑えることができる。
【０００４】
しかし、特許文献１に記載された構成は、再生データのように連続的に記録されたデータのみを扱う場合は、消費電流を削減するために非常に有効であるが、補助情報であるＩＤ３タグが再生データであるＭＰ３オーディオデータの末尾に付加されている場合、ＩＤ３タグを表示デバイスに表示するために、再生前に補助情報であるＩＤ３タグを取得する必要があるため、トラバースモータにより、光ピックアップをいったん曲データの末尾まで移動させ、ＩＤ３タグ取得後、再び曲データ先頭に戻すという機械的動作が必ず生じるため、消費電流が増えるという課題が残る。
【０００５】
以下、このような補助情報を扱う従来の記録媒体制御装置について、図面を参照しつつ説明する。図１０は、従来の光ディスク制御装置の構成を示すブロック図、図６は曲データであるＭＰ３（Ｍｐｅｇ  ＡｕｄｉｏＬａｙｅｒ  ３）デ
ータのデータ構成を示す図、図７は光ディスク上の再生データ記録部の状態およ
び補助情報記録部を読み取る光ピックアップの動作を示す図である。
【０００６】
図１０に示すように、光ディスク制御装置１０００は、スピンドルモータ部１１１、光ピックアップ部１１２、トラバースモータ部１１３、システム制御部１１４、再生制御部１０２０、補助情報アクセス制御部Ｃ１０２１、再生データアクセス制御部１２２を含んで構成される。
【０００７】
図６に示すように、曲データであるＭＰ３データ６１０は、再生データ部であるＭＰ３オーディオデータ６１１、ＭＰ３オーディオデータ６１１の末尾に付加される補助情報部であるＩＤ３タグ６１２から構成される。補助情報部であるＩＤ３タグ６１２はＭＰ３オーディオデータ６１１の先頭に付加される場合もあるが、ここでは省略する。また、図１０における光ディスク１１０には、ＭＰ３オーディオデータ６１１およびＩＤ３タグ６１２からなるＭＰ３データ６１０が複数組記録される。
【０００８】
このように構成された光ディスク制御装置１０００について、図１０、図６、図７を用いて説明する。図１０に示すように、光ディスク制御装置１０００は、スピンドルモータ部１１１によって光ディスク１１０を回転させながら、トラバースモータ部１１３によって光ピックアップ部１１２を移動させて光ディスク１１０上に記録されたデータを読み取り、システム制御部１１４によって読み取ったデータを信号処理し、再生信号としてＬ信号、Ｒ信号を出力する構成である。また、光ディスク１１０からデータを読み取る際の光ピックアップ部１１２のフォーカスサーボ制御およびトラッキングサーボ制御と、光ディスク１１０を安定に回転させるためのスピンドルモータ部１１１の回転制御と、光ピックアップ１１２を光ディスク１１０上の目的アクセス位置に移動させるためのトラバースモータ部１１３の回転制御についても、システム制御部１１４により行う構成である。
【０００９】
ここで、外部からキー入力があった場合、再生制御部Ｅ１０２０は、キー入力
に従って動作する。例えば、停止状態において、ＰＬＡＹキーのキー入力があった場合、再生制御部Ｅ１０２０は、信号を再生するために再生データアクセス制御部１２２に対して指示を行い、再生データアクセス制御部１２２は、システム制御部１１４に対して再生データアクセスを要求する。システム制御部１１４は、その再生データアクセス要求により、スピンドルモータ部１１１、トラバースモータ部１１３を制御し、光ディスク１１０上の目的の再生データ位置に光ピックアップ１１２を移動させて目的の再生データを読み取り、読み取ったデータを信号処理し、再生信号としてＬ信号、Ｒ信号を出力する。さらに、再生データに補助情報（ＩＤ３タグ）が付加されている場合、再生制御部Ｅ１０２０は補助情報（ＩＤ３タグ）を取得するために補助情報アクセス制御部Ｃ１０２１に対して指示を行い、補助情報アクセス制御部Ｃ１０２１は、システム制御部１１４に対して補助情報アクセスを要求する。システム制御部１１４は、その補助情報アクセス要求により、スピンドルモータ部１１１、トラバースモータ部１１３を制御し、光ディスク１１０上の目的の補助情報（ＩＤ３タグ）位置に光ピックアップ１１２を移動させて目的の補助情報（ＩＤ３タグ）を読み取り、読み取った補助情報（ＩＤ３タグ）を再生制御部Ｅ１０２０により解析して表示出力する。
【００１０】
図７は光ディスク１１０上の再生データ記録部７１０および補助情報記録部７１１を読み取るために、光ピックアップ１１２がトラバースモータ部１１３によって移動する様子を示す図である。図１０において、上記ＰＬＡＹキーのキー入力があった場合、再生データアクセス制御部１２２および補助情報アクセス制御部Ｃ１０２１は、システム制御部１１４に対して再生データアクセスおよび補助情報アクセスを要求するが、再生制御部Ｅ１０２０は、再生を開始する時点で補助情報であるＩＤ３タグ（例えばタイトル名など）を表示出力する必要があるため、ＭＰ３データを再生する場合は、図７に示すように、いきなり光ピックアップ１１２を再生データ記録部７１０に記録されたＭＰ３オーディオデータの先頭位置である（１）の位置に移動するのではなく、まず補助情報記録部７１１に記録されたＩＤ３タグを取得するために、補助情報アクセス要求によって、光ピックアップ部１１２を（３）の位置まで移動し、（３）から（４）の位置まで移動
しながらＩＤ３タグを読み取る。そして、ＩＤ３タグの読み取り完了後、再生データ記録部７１０に記録されたＭＰ３オーディオデータを再生するために、再生データアクセス要求によって、光ピックアップ部１１２を（１）の位置まで戻し、（１）から（２）の位置まで移動しながらＭＰ３オーディオデータを読み取りながら再生する。
【００１１】
【特許文献１】
特開平７−６５５０７号公報
【００１２】
【発明が解決しようとする課題】
しかしながら、従来の構成のように、補助情報であるＩＤ３タグが再生データであるＭＰ３オーディオデータの末尾に付加されている場合、再生前に補助情報であるＩＤ３タグを取得する必要があるため、トラバースモータにより、光ピックアップをいったん曲データの末尾まで移動させ、ＩＤ３タグ取得後、再び曲データ先頭に戻すという機械的動作が必ず生じるため、この光ディスク制御装置が、電源供給源が有限である電池などにより動作を行う場合、電池寿命に多大な影響を及ぼし、装置の動作持続時間が短くなるという課題を有していた。
【００１３】
本発明は、アクセス手段の移動を極力減らすことにより、アクセス手段の電流消費を抑制し、電池動作持続時間を増大する記録媒体制御装置を実現することを目的とする。
【００１４】
【課題を解決するための手段】
上記課題に対処するために、本発明の記録媒体制御装置は、再生データおよび再生データに付随する補助情報の組が一つ以上記録された記録媒体に対し、再生制御部に従って、再生データアクセス制御部によって前記記録媒体から再生データを再生するための再生データアクセスを行う再生データアクセス制御と補助情報アクセス制御部によって前記記録媒体から補助情報取得を行うための補助情報アクセスを行う補助情報アクセス制御とを行うために、システム制御部によって、前記記録媒体を回転させるスピンドルモータと、前記記録媒体からデータを読み取るためのピックアップと、前記ピックアップを移動させるモータの制御を行う記録媒体制御装置であって、前記記録媒体に記録された再生データに付随する補助情報を格納する補助情報格納部と、次に再生する再生データの補助情報が前記補助情報格納部に存在するか否かに応じてアクセス指示を発生させるかどうかを判定する補助情報アクセス要否判定部とを有し、次に再生する再生データに付随する補助情報が前記補助情報格納部に存在する場合、前記補助情報アクセス要否判定部は前記補助情報アクセス制御部に対して補助情報アクセス指示を発生せず、前記補助情報アクセス制御部は、前記補助情報格納部から次に再生する再生データに付随する補助情報を取得するように構成したものである。
【００１５】
また、本発明の記録媒体制御装置は、再生データおよび再生データに付随する補助情報の組が一つ以上記録された記録媒体に対し、再生制御部に従って、再生データアクセス制御部によって前記記録媒体から再生データを再生するための再生データアクセスを行う再生データアクセス制御と補助情報アクセス制御部によって前記記録媒体から補助情報取得を行うための補助情報アクセスを行う補助情報アクセス制御とを行うために、システム制御部によって、前記記録媒体を回転させるスピンドルモータと、前記記録媒体からデータを読み取るためのピックアップと、前記ピックアップを移動させるトラバースモータの制御を行う記録媒体制御装置であって、再生データおよび再生データに付随する補助情報の組を記録媒体上で識別可能なユニークＩＤ（識別子）である再生ＩＤにより管理する再生ＩＤ管理テーブル部と、再生データに付随する補助情報を格納する補助情報格納部と、現在再生している再生データの再生ＩＤである現再生ＩＤを記憶する再生ＩＤ記憶部と、次に再生する再生データの再生ＩＤである次再生ＩＤと前記再生ＩＤ記憶部に記憶した現再生ＩＤとを比較する再生ＩＤ比較部と、前記再生ＩＤ比較部の比較結果により補助情報アクセス指示を発生させるかどうかを判定する補助情報アクセス要否判定部とを有し、前記次再生ＩＤと前記再生ＩＤ記憶部に記憶した現再生ＩＤとを前記再生ＩＤ比較部により比較して等しい場合、次再生ＩＤの再生データを再生する際、前記補助情報アクセス要否判定部は前記補助情報アクセス制御部に対して補助情報アクセス指示を発生せず、前記補助情報アクセス制御部は、前記補助情報格納部から次再生ＩＤの再生データに付随する補助情報を取得するように構成したものである。
【００１６】
また、本発明の記録媒体制御装置は、現再生データを繰り返し再生する繰り返し再生指示が出ているかどうかを判定する繰り返し再生判定部と、前記繰り返し再生判定部の判定結果により補助情報アクセス指示を発生させるかどうかを判定する補助情報アクセス要否判定部とを有し、前記再生制御部が現再生データを繰り返し再生するよう制御する場合、繰り返し再生のための再生データアクセスによる前記現再生データの再生の際、前記補助情報アクセス要否判定部は前記補助情報アクセス制御部に対して補助情報アクセス指示を発生せず、前記補助情報アクセス制御部は、前記補助情報格納部から現再生データに付随する補助情報を取得する構成を有しても良い。
【００１７】
また、本発明の記録媒体制御装置は、再生データに付随する補助情報を格納する補助情報格納部と、現再生データの先頭あるいは現再生データの現在の再生位置より前の地点にアクセスして再生を開始する再生データアクセス制御を行う指示が発せられたかどうかを判定するリバーススキップキー判定部と、前記リバーススキップキー判定部の判定結果により補助情報アクセス指示を発生させるかどうかを判定する補助情報アクセス要否判定部とを有し、前記再生制御部が現再生データの先頭あるいは現再生データの現在の再生位置より前の地点にアクセスして再生を開始する再生データアクセス制御を行う場合、前記補助情報アクセス要否判定部は、補助情報アクセス制御部に対して補助情報アクセス指示を発生せず、前記補助情報アクセス制御部は、補助情報格納部から現再生データに付随する補助情報を取得する構成を有しても良い。
【００１８】
また、本発明の記録媒体制御装置は、前記補助情報格納部が、再生データに付随する補助情報を再生ＩＤと対応させて複数格納する補助情報履歴格納部であり、前記再生ＩＤ記憶部が過去に再生した再生データの再生ＩＤを複数記憶する再生ＩＤ履歴記憶部であり、前記再生ＩＤ比較部が次に再生する再生データの再生ＩＤである次再生ＩＤと前記再生ＩＤ履歴記憶部に記憶した複数の再生ＩＤとを比較して一致するものがある場合、前記次再生ＩＤの再生データを再生する際、補助情報アクセス要否判定部は補助情報アクセス制御部に対して補助情報アクセス指示を発生せず、前記補助情報アクセス制御部は、再生ＩＤをもとに前記補助情報履歴格納部から前記次再生ＩＤの再生データに付随する補助情報を取得する構成を有しても良い。
【００１９】
また、本発明の記録媒体制御装置は、前記補助情報格納部が、再生データに付随する補助情報を再生ＩＤと対応させて複数格納する補助情報履歴格納部であり、前記再生ＩＤ記憶部が過去に再生した再生データの再生ＩＤを複数記憶する再生ＩＤ履歴記憶部であり、さらに前記再生ＩＤ履歴記憶部により記憶した再生ＩＤを監視し、再生頻度の少ない稀再生ＩＤに関しては、前記再生ＩＤ履歴記憶部から前記稀再生ＩＤを削除し、同時に、前記補助情報履歴格納部から前記稀再生ＩＤに対応する補助情報を削除する再生頻度判定部を有し、次に再生する再生データの再生ＩＤである次再生ＩＤと前記再生ＩＤ履歴記憶部に記憶した複数の再生ＩＤとを前記再生ＩＤ比較部により比較して一致するものがある場合、前記次再生ＩＤの再生データを再生する際、前記補助情報アクセス要否判定部は前記補助情報アクセス制御部に対して補助情報アクセス指示を発生せず、前記補助情報アクセス制御部は、再生ＩＤをもとに前記補助情報履歴格納部から次再生ＩＤの再生データに付随する補助情報を取得する構成を有しても良い。
【００２０】
また、本発明の記録媒体制御装置は、前記再生ＩＤ管理テーブル部が、再生データおよび再生データに付随する補助情報の組を記録媒体上で識別可能なユニークＩＤと、前記記録媒体を複数の記録媒体群の中から識別可能なユニークＩＤの両者を再生ＩＤとして管理する構成を有しても良い。
【００２１】
また、本発明の記録媒体制御装置は、前記補助情報が記録媒体上の再生データへのアクセスに必要な情報とは異なる書誌情報である構成を有しても良い。
【００２２】
また、本発明の記録媒体制御装置は、前記再生データとそれに対応する前記補助情報とが前記記録媒体上の連続する領域に記憶されている構成を有しても良い。
【００２３】
本発明の記録媒体制御装置は、上記の各構成によって、次回再生するオーディオデータのＩＤが過去に再生済みである場合、次回再生時、補助情報を記録媒体から取得する制御を抑制することにより、アクセス手段の移動を行わずに補助情報格納手段または補助情報履歴格納手段から補助情報の再利用が可能であるため、アクセス手段の電流消費を抑制し、電池動作持続時間の増大が実現できるとともに、補助情報格納用の内部メモリを最小限に抑制するように作用する。
【００２４】
【発明の実施の形態】
（実施の形態１）
本発明の実施の形態１における、記録媒体制御装置について、図面を参照しつつ説明する。以下の各実施形態では記録媒体に光ディスクを用い、データとして
ＭＰ３（Ｍｐｅｇ  Ａｕｄｉｏ Ｌａｙｅｒ  ３）が記録されているものとして
説明する。図１は、本実施の形態１の光ディスク制御装置の構成を示すブロック図、図６は曲データであるＭＰ３データのデータ構成を示す図、図７は光ディスク上の再生データ記録部の状態および補助情報記録部を読み取る光ピックアップの動作を示す図、図８は再生ＩＤ管理テーブルの一例を示す図である。
【００２５】
図１に示すように、光ディスク制御装置１００は、スピンドルモータ部１１１、光ピックアップ部１１２、トラバースモータ部１１３、システム制御部１１４、再生制御部Ａ１２０、補助情報アクセス制御部Ａ１２１、再生データアクセス制御部１２２、再生ＩＤ管理テーブル部１２４、再生ＩＤ記憶部１２５、再生ＩＤ比較部Ａ１２６、補助情報アクセス要否判定部Ａ１２７、補助情報格納部Ａ１２８を含んで構成される。このうち従来の光ディスク制御装置の構成を示す図１０と同じ符号のものは、同じ機能を持つものである。
【００２６】
図６に示すように、曲データであるＭＰ３データ６１０は、再生データ部であるＭＰ３オーディオデータ６１１、ＭＰ３オーディオデータ６１１の末尾に付加される補助情報部であるＩＤ３タグ６１２から構成される。補助情報部であるＩＤ３タグ６１２はＭＰ３オーディオデータ６１１の先頭に付加される場合もあるが、ここでは省略する。また、図１における光ディスク１１０には、ＭＰ３オーディオデータ６１１およびＩＤ３タグ６１２からなるＭＰ３データ６１０が複数組記録される。
【００２７】
このように構成された光ディスク制御装置１００について、図を用いて説明する。図１に示すように、光ディスク制御装置１００は、スピンドルモータ部１１１によって光ディスク１１０を回転させながら、トラバースモータ部１１３によって光ピックアップ部１１２を移動させて光ディスク１１０上に記録されたデータを読み取り、システム制御部１１４によって読み取ったデータを信号処理し、再生信号としてＬ信号、Ｒ信号を出力する。また、光ディスク１１０からデータを読み取る際の光ピックアップ部１１２のフォーカスサーボ制御およびトラッキ
ングサーボ制御と、光ディスク１１０を安定に回転させるためのスピンドルモータ部１１１の回転制御と、光ピックアップ１１２を光ディスク１１０上の目的アクセス位置に移動させるためのトラバースモータ部１１３の移動制御についても、システム制御部１１４により行う。
【００２８】
ここで、外部からキー入力があった場合、再生制御部Ａ１２０は、キー入力に従って動作する。例えば、停止状態において、ＰＬＡＹキーのキー入力があった場合、再生制御部Ａ１２０は、信号を再生するために再生データアクセス制御部１２２に対して指示を行い、再生データアクセス制御部１２２は、システム制御部１１４に対して再生データアクセスを要求する。システム制御部１１４は、その再生データアクセス要求により、アクセス手段として、スピンドルモータ部１１１、トラバースモータ部１１３を制御し、光ディスク１１０上の目的の再生データ位置に光ピックアップ１１２を移動させて目的の再生データを読み取り、読み取ったデータを信号処理し、再生信号としてＬ信号、Ｒ信号を出力する。
【００２９】
さらに、再生データに補助情報（ＩＤ３タグ）が付加されている場合、再生制御部Ａ１２０は、補助情報（ＩＤ３タグ）を取得するために補助情報アクセス制御部Ａ１２１に対して指示を行い、補助情報アクセス制御部Ａ１２１は、システム制御部１１４に対して補助情報アクセスを要求する。システム制御部１１４は、その補助情報アクセス要求により、スピンドルモータ部１１１、トラバースモータ部１１３を制御し、光ディスク１１０上の目的の補助情報（ＩＤ３タグ）位置に光ピックアップ１１２を移動させて目的の補助情報（ＩＤ３タグ）を読み取り、読み取った補助情報（ＩＤ３タグ）を再生制御部Ａ１２０により解析して表示出力する。
【００３０】
図７において、スピンドルモータ部１１１で回転駆動される光ディスク１１０上における、内周に再生データ記録部７１０が、その外周には補助情報記録部７１１が配置されている状態を示し、光ピックアップ部１１２がトラバースモータ部１１３によって矢印のように左右に移動する様子を示す。上記ＰＬＡＹキーの
キー入力があった場合、図１において、再生データアクセス制御部１２２および補助情報アクセス制御部Ａ１２１は、システム制御部１１４に対して再生データアクセスおよび補助情報アクセスを要求するが、再生制御部Ａ１２０は、再生を開始する時点で補助情報であるＩＤ３タグ（例えばタイトル名など）を、たとえばＬＣＤなどの表示媒体を用いて表示出力する必要があるため、ＭＰ３データを再生する場合は、図７に示すように、いきなり光ピックアップ１１２を再生データ記録部７１０に記録されたＭＰ３オーディオデータの先頭位置である（１）の位置に移動するのではなく、まず補助情報記録部７１１に記録されたＩＤ３タグを取得するために、補助情報アクセス要求によって、光ピックアップ部１１２を（３）の位置まで移動し、（３）から（４）の位置まで移動しながらＩＤ３タグを読み取る。そして、ＩＤ３タグの読み取り完了後、再生データ記録部７１０に記録されたＭＰ３オーディオデータを再生するために、再生データアクセス要求によって、光ピックアップ部１１２を（１）の位置まで戻し、（１）から（２）の位置まで移動しながらＭＰ３オーディオデータを読み取りながら再生する。
【００３１】
ここで、補助情報アクセス制御部Ａ１２１がシステム制御部１１４に対して補助情報アクセス要求を行う動作についてさらに詳しく説明する。再生制御部Ａ１２０は、再生ＩＤ管理テーブル部１２４を管理する。図８に再生ＩＤ管理テーブル１２４の一例である再生ＩＤ管理テーブルＡ８２４を示す。再生ＩＤ管理テーブルＡ８２４は、光ディスク１１０に記録された複数のＭＰ３オーディオデータそれぞれについて、光ディスク１１０上でユニークな再生ＩＤ（１〜Ｎ）を付与し、それぞれ光ディスク上の絶対記録位置を対応付けたものである。ただし、再生ＩＤについては、特に自然数の連続番号に制限したものである必要はなく、また、絶対記録位置については、必ずしも必要ではない。再生制御部Ａ１２０は、このような再生ＩＤ管理テーブルＡ８２４を参照し、再生動作中、再生ＩＤ記憶部１２５に、現在再生しているＭＰ３オーディオデータの再生ＩＤを一時記憶しておく。
【００３２】
また、同時に、補助情報格納部Ａ１２８に、現在再生しているＭＰ３オーディ
オデータに付加された補助情報（ＩＤ３タグ）を記憶しておく。そして、現在再生しているＭＰ３オーディオデータの再生が終わった際、次のＭＰ３オーディオデータの再生を行う処理に移行するが、この時、再生ＩＤ比較部Ａ１２６により、次に再生するＭＰ３オーディオデータの再生ＩＤと、さきほど再生ＩＤ記憶部１２５に一時記憶しておいた前回再生したＭＰ３オーディオデータの再生ＩＤを比較し、もし同一ＩＤであれば、補助情報アクセス要否判定部Ａ１２７により、補助情報アクセス制御部Ａ１２１に対して補助情報アクセスの指示を行わず、補助情報再利用の指示を行うことにより、補助情報アクセス制御部Ａ１２１は、システム制御部１１４に対して光ディスク１１０から補助情報を再取得するためのアクセス要求を行わず、補助情報格納部Ａ１２８に対して、記憶しておいた補助情報（ＩＤ３タグ）を取得するための要求を行って補助情報（ＩＤ３タグ）の再利用を実現する。
【００３３】
（実施の形態２）
以下本発明の実施の形態２における記録媒体制御装置について、図面を参照しつつ説明する。図２は、本実施の形態２の光ディスク制御装置の構成を示すブロック図であり、前出の図６および図７を併用して説明する。
【００３４】
図２に示すように、光ディスク制御装置２００は、スピンドルモータ部１１１、光ピックアップ部１１２、トラバースモータ部１１３、システム制御部１１４、再生制御部Ｂ２２０、補助情報アクセス制御部Ａ１２１、再生データアクセス制御部１２２、１曲リピート比較部２２６、補助情報アクセス要否判定部Ａ１２７、補助情報格納部Ｂ２２８を含んで構成される。実施の形態１と同じ機能の部分には同じ符号を付けている。
【００３５】
図２における光ディスク１１０には、図６に示すＭＰ３オーディオデータ６１１およびＩＤ３タグ６１２からなるＭＰ３データ６１０が複数組記録される。
【００３６】
このように構成された光ディスク制御装置２００について、図を用いて説明す
る。図２に示すように、光ディスク制御装置２００は、スピンドルモータ部１１１によって光ディスク１１０を回転させながら、トラバースモータ部１１３によって光ピックアップ部１１２を移動させて光ディスク１１０上に記録されたデータを読み取り、システム制御部１１４によって読み取ったデータを信号処理し、再生信号としてＬ信号、Ｒ信号を出力する。また、光ディスク１１０からデータを読み取る際の光ピックアップ部１１２のフォーカスサーボ制御およびトラッキングサーボ制御と、光ディスク１１０を安定に回転させるためのスピンドルモータ部１１１の回転制御と、光ピックアップ１１２を光ディスク１１０上の目的アクセス位置に移動させるためのトラバースモータ部１１３の回転制御についても、システム制御部１１４により行う。
【００３７】
ここで、外部からキー入力があった場合、再生制御部Ｂ２２０は、キー入力に従って動作する。例えば、停止状態において、ＰＬＡＹキーのキー入力があった場合、再生制御部Ｂ２２０は、信号を再生するために再生データアクセス制御部１２２に対して指示を行い、再生データアクセス制御部１２２は、システム制御部１１４に対して再生データアクセスを要求する。システム制御部１１４は、その再生データアクセス要求により、スピンドルモータ部１１１、トラバースモータ部１１３を制御し、光ディスク１１０上の目的の再生データ位置に光ピックアップ１１２を移動させて目的の再生データを読み取り、読み取ったデータを信号処理し、再生信号としてＬ信号、Ｒ信号を出力する。
【００３８】
さらに、再生データに補助情報（ＩＤ３タグ）が付加されている場合、再生制御部Ｂ２２０は、補助情報（ＩＤ３タグ）を取得するために補助情報アクセス制御部Ａ１２１に対して指示を行い、補助情報アクセス制御部Ａ１２１は、システム制御部１１４に対して補助情報アクセスを要求する。システム制御部１１４は、その補助情報アクセス要求により、スピンドルモータ部１１１、トラバースモータ部１１３を制御し、光ディスク１１０上の目的の補助情報（ＩＤ３タグ）位置に光ピックアップ１１２を移動させて目的の補助情報（ＩＤ３タグ）を読み取り、読み取った補助情報（ＩＤ３タグ）を再生制御部Ｂ２２０により解析して表
示出力する。
【００３９】
上記ＰＬＡＹキーのキー入力があった場合、図２において、再生データアクセス制御部１２２および補助情報アクセス制御部Ａ１２１は、システム制御部１１４に対して再生データアクセスおよび補助情報アクセスを要求するが、再生制御部Ｂ２２０は、再生を開始する時点で補助情報であるＩＤ３タグ（例えばタイトル名など）を表示出力する必要があるため、ＭＰ３データを再生する場合は、図７に示すように、いきなり光ピックアップ１１２を再生データ記録部７１０に記録されたＭＰ３オーディオデータの先頭位置である（１）の位置に移動するのではなく、まず補助情報記録部７１１に記録されたＩＤ３タグを取得するために、補助情報アクセス要求によって、光ピックアップ部１１２を（３）の位置まで移動し、（３）から（４）の位置まで移動しながらＩＤ３タグを読み取る。そして、ＩＤ３タグの読み取り完了後、再生データ記録部７１０に記録されたＭＰ３オーディオデータを再生するために、再生データアクセス要求によって、光ピックアップ部１１２を（１）の位置まで戻し、（１）から（２）の位置まで移動しながらＭＰ３オーディオデータを読み取りながら再生する。
【００４０】
ここで、補助情報アクセス制御部Ａ１２１がシステム制御部１１４に対して補助情報アクセス要求を行う動作についてさらに詳しく説明する。再生制御部Ｂ２２０は、キー入力あるいはその他の手段により再生データの再生順序（再生モード）を制御可能である。ここで言う再生モードとは、例えば、そのＭＰ３オーディオデータ１曲のみ繰り返し再生する「１曲リピート」、光ディスク１１０に記録されたすべてのＭＰ３オーディオデータを繰り返し再生する「全曲リピート」、光ディスク１１０に記録されたすべてのＭＰ３オーディオデータをランダム順に再生する「ランダム」、光ディスク１１０に記録されたすべてのＭＰ３オーディオデータをランダム順に繰り返し再生する「ランダムリピート」等を示す。再生制御部Ｂ２２０は、このような再生モードに従い動作する。再生動作中、補助情報格納部Ｂ２２８に、現在再生しているＭＰ３オーディオデータに付加された補助情報（ＩＤ３タグ）を記憶しておく。そして、現在再生しているＭＰ３オー
ディオデータの再生が終わった際、次のＭＰ３オーディオデータの再生を行う処理に移行するが、この時、１曲リピート比較部２２６により、現在の再生モードが現に再生しているデータを繰り返し再生する１曲リピートであるかどうかを比較し、もし１曲リピートであれば、補助情報アクセス要否判定部Ａ１２７により、補助情報アクセス制御部Ａ１２１に対して補助情報アクセスの指示を行わず、補助情報再利用の指示を行うことにより、補助情報アクセス制御部Ａ１２１は、システム制御部１１４に対して光ディスク１１０から補助情報を再取得するためのアクセス要求を行わず、補助情報格納部Ｂ２２８に対して、記憶しておいた補助情報（ＩＤ３タグ）を取得するための要求を行って補助情報（ＩＤ３タグ）の再利用を実現する。
【００４１】
（実施の形態３）
本発明の実施の形態３における、記録媒体制御装置について、図面を参照しつつ説明する。図３は、本実施の形態３の光ディスク制御装置の構成を示すブロック図であり、前出の図６および図７を併用して説明する。
【００４２】
図３に示すように、光ディスク制御装置３００は、スピンドルモータ部１１１、光ピックアップ部１１２、トラバースモータ部１１３、システム制御部１１４、再生制御部Ｃ３２０、補助情報アクセス制御部Ａ１２１、再生データアクセス制御部１２２、リバースＳＫＩＰキー比較部３２６、補助情報アクセス要否判定部Ａ１２７、補助情報格納部Ｂ２２８を含んで構成される。上記各実施の形態と同じ機能の部分には同じ符号を付けている。
【００４３】
図３における光ディスク１１０には、図６に示すＭＰ３オーディオデータ６１１およびＩＤ３タグ６１２からなるＭＰ３データ６１０が複数組記録される。
【００４４】
このように構成された光ディスク制御装置３００について、図を用いて説明する。図３に示すように、光ディスク制御装置３００は、スピンドルモータ部１１１によって光ディスク１１０を回転させながら、トラバースモータ部１１３によ
って光ピックアップ部１１２を移動させて光ディスク１１０上に記録されたデータを読み取り、システム制御部１１４によって読み取ったデータを信号処理し、再生信号としてＬ信号、Ｒ信号を出力する。また、光ディスク１１０からデータを読み取る際の光ピックアップ部１１２のフォーカスサーボ制御およびトラッキングサーボ制御と、光ディスク１１０を安定に回転させるためのスピンドルモータ部１１１の回転制御と、光ピックアップ１１２を光ディスク１１０上の目的アクセス位置に移動させるためのトラバースモータ部１１３の回転制御についても、システム制御部１１４により行う。
【００４５】
ここで、外部からキー入力があった場合、再生制御部Ｃ３２０は、キー入力に従って動作する。例えば、停止状態において、ＰＬＡＹキーのキー入力があった場合、再生制御部Ｃ３２０は、信号を再生するために再生データアクセス制御部１２２に対して指示を行い、再生データアクセス制御部１２２は、システム制御部１１４に対して再生データアクセスを要求する。システム制御部１１４は、その再生データアクセス要求により、スピンドルモータ部１１１、トラバースモータ部１１３を制御し、光ディスク１１０上の目的の再生データ位置に光ピックアップ１１２を移動させて目的の再生データを読み取り、読み取ったデータを信号処理し、再生信号としてＬ信号、Ｒ信号を出力する。
【００４６】
さらに、再生データに補助情報（ＩＤ３タグ）が付加されている場合、再生制御部Ｃ３２０は、補助情報（ＩＤ３タグ）を取得するために補助情報アクセス制御部Ａ１２１に対して指示を行い、補助情報アクセス制御部Ａ１２１は、システム制御部１１４に対して補助情報アクセスを要求する。システム制御部１１４は、その補助情報アクセス要求により、スピンドルモータ部１１１、トラバースモータ部１１３を制御し、光ディスク１１０上の目的の補助情報（ＩＤ３タグ）位置に光ピックアップ１１２を移動させて目的の補助情報（ＩＤ３タグ）を読み取り、読み取った補助情報（ＩＤ３タグ）を再生制御部Ｃ３２０により解析して表示出力する。
【００４７】
上記ＰＬＡＹキーのキー入力があった場合、図３において、再生データアクセス制御部１２２および補助情報アクセス制御部Ａ１２１は、システム制御部１１４に対して再生データアクセスおよび補助情報アクセスを要求するが、再生制御部Ｃ３２０は、再生を開始する時点で補助情報であるＩＤ３タグ（例えばタイトル名など）を表示出力する必要があるため、ＭＰ３データを再生する場合は、図７に示すように、いきなり光ピックアップ１１２を再生データ記録部７１０に記録されたＭＰ３オーディオデータの先頭位置である（１）の位置に移動するのではなく、まず補助情報記録部７１１に記録されたＩＤ３タグを取得するために、補助情報アクセス要求によって、光ピックアップ部１１２を（３）の位置まで移動し、（３）から（４）の位置まで移動しながらＩＤ３タグを読み取る。そして、ＩＤ３タグを読み取り完了後、再生データ記録部７１０に記録されたＭＰ３オーディオデータを再生するために、再生データアクセス要求によって、光ピックアップ部１１２を（１）の位置まで戻し、（１）から（２）の位置まで移動しながらＭＰ３オーディオデータを読み取りながら再生する。
【００４８】
ここで、補助情報アクセス制御部Ａ１２１がシステム制御部１１４に対して補助情報アクセス要求を行う動作についてさらに詳しく説明する。再生制御部Ｃ３２０は、キー入力あるいはその他の手段により再生データの再生位置を制御可能である。ここで言う再生位置は、光ディスク制御装置３００をある再生データの先頭位置から再生開始させる"ＰＬＡＹキー"、現在再生しているＭＰ３オーディオデータから次のＭＰ３オーディオデータの再生動作へ移行させる「フォワードＳＫＩＰキー」、現在再生しているＭＰ３オーディオデータの先頭位置（または途中）から再生再開する動作へ移行させる「リバースＳＫＩＰキー」等のキー入力あるいはその他の手段により決定される。再生制御部Ｃ３２０は、再生位置を決定するキー入力あるいはその他の手段に従い動作する。再生動作中、補助情報格納部Ｂ２２８に、現在再生しているＭＰ３オーディオデータに付加された補助情報（ＩＤ３タグ）を記憶しておく。そして、例えば、何らかのキー入力（あるいはその他の手段）が生じた場合、再生制御部Ｃ３２０は、そのキー入力（あるいはその他の手段）に従って動作状態を変化させるが、この時、リバースＳＫＩ
Ｐキー比較部３２６により、入力されたキー入力（あるいはその他の手段）の指示の種別が、現在の再生データの先頭あるいは現在の再生データの現在の再生位置より前の地点から再生再開するリバースＳＫＩＰキーかどうかを比較し、もしリバースＳＫＩＰキーであれば、補助情報アクセス要否判定部Ａ１２７により、補助情報アクセス制御部Ａ１２１に対して補助情報アクセスの指示を行わず、補助情報再利用の指示を行うことにより、補助情報アクセス制御部Ａ１２１は、システム制御部１１４に対して光ディスク１１０から補助情報を再取得するためのアクセス要求を行わず、補助情報格納部Ｂ２２８に対して、記憶しておいた補助情報（ＩＤ３タグ）を取得するための要求を行って補助情報（ＩＤ３タグ）の再利用を実現する。
【００４９】
（実施の形態４）
以下、本発明の実施の形態４における、記録媒体制御装置について、図面を参照しつつ説明する。図４は、本実施の形態４の光ディスク制御装置の構成を示すブロック図、、図９は再生ＩＤ管理テーブルの一例を示す図であり、前出の図６、図７および図８を併用して説明する。
【００５０】
図４に示すように、光ディスク制御装置４００は、スピンドルモータ部１１１、光ピックアップ部１１２、トラバースモータ部１１３、システム制御部１１４、再生制御部Ｄ４２０、補助情報アクセス制御部Ｂ４２１、再生データアクセス制御部１２２、再生ＩＤ管理テーブル部１２４、再生ＩＤ履歴記憶部Ａ４２５、再生ＩＤ比較部Ｂ４２６、補助情報アクセス要否判定部Ｂ４２７、補助情報履歴格納部Ａ４２８を含んで構成される。上記各実施の形態と同じ機能の部分には同じ符号を付けている。図４における光ディスク１１０には、図６に示すＭＰ３オーディオデータ６１１およびＩＤ３タグ６１２からなるＭＰ３データ６１０が複数組記録される。
【００５１】
このように構成された光ディスク制御装置４００について、図を用いて説明する。図４に示すように、光ディスク制御装置４００は、スピンドルモータ部１１
１によって光ディスク１１０を回転させながら、トラバースモータ部１１３によって光ピックアップ部１１２を移動させて光ディスク１１０上に記録されたデータを読み取り、システム制御部１１４によって読み取ったデータを信号処理し、再生信号としてＬ信号、Ｒ信号を出力する。また、光ディスク１１０からデータを読み取る際の光ピックアップ部１１２のフォーカスサーボ制御およびトラッキングサーボ制御と、光ディスク１１０を安定に回転させるためのスピンドルモータ部１１１の回転制御と、光ピックアップ１１２を光ディスク１１０上の目的アクセス位置に移動させるためのトラバースモータ部１１３の回転制御についても、システム制御部１１４により行う。
【００５２】
ここで、外部からキー入力があった場合、再生制御部Ｄ４２０は、キー入力に従って動作する。例えば、停止状態において、ＰＬＡＹキーのキー入力があった場合、再生制御部Ｄ４２０は、信号を再生するために再生データアクセス制御部１２２に対して指示を行い、再生データアクセス制御部１２２は、システム制御部１１４に対して再生データアクセスを要求する。システム制御部１１４は、その再生データアクセス要求により、スピンドルモータ部１１１、トラバースモータ部１１３を制御し、光ディスク１１０上の目的の再生データ位置に光ピックアップ１１２を移動させて目的の再生データを読み取り、読み取ったデータを信号処理し、再生信号としてＬ信号、Ｒ信号を出力する。
【００５３】
さらに、再生データに補助情報（ＩＤ３タグ）が付加されている場合、再生制御部Ｄ４２０は、補助情報（ＩＤ３タグ）を取得するために補助情報アクセス制御部Ｂ４２１に対して指示を行い、補助情報アクセス制御部Ｂ４２１は、システム制御部１１４に対して補助情報アクセスを要求する。システム制御部１１４は、その補助情報アクセス要求により、スピンドルモータ部１１１、トラバースモータ部１１３を制御し、光ディスク１１０上の目的の補助情報（ＩＤ３タグ）位置に光ピックアップ１１２を移動させて目的の補助情報（ＩＤ３タグ）を読み取り、読み取った補助情報（ＩＤ３タグ）を再生制御部Ｄ４２０により解析して表示出力する。
【００５４】
上記ＰＬＡＹキーのキー入力があった場合、図４において、再生データアクセス制御部１２２および補助情報アクセス制御部Ｂ４２１は、システム制御部１１４に対して再生データアクセスおよび補助情報アクセスを要求するが、再生制御部Ｄ４２０は、再生を開始する時点で補助情報であるＩＤ３タグ（例えばタイトル名など）を表示出力する必要があるため、ＭＰ３データを再生する場合は、図７に示すように、いきなり光ピックアップ１１２を再生データ記録部７１０に記録されたＭＰ３オーディオデータの先頭位置である（１）の位置に移動するのではなく、まず補助情報記録部７１１に記録されたＩＤ３タグを取得するために、補助情報アクセス要求によって、光ピックアップ部１１２を（３）の位置まで移動し、（３）から（４）の位置まで移動しながらＩＤ３タグを読み取る。そして、ＩＤ３タグを読み取り完了後、再生データ記録部７１０に記録されたＭＰ３オーディオデータを再生するために、再生データアクセス要求によって、光ピックアップ部１１２を（１）の位置まで戻し、（１）から（２）の位置まで移動しながらＭＰ３オーディオデータを読み取りながら再生する。
【００５５】
ここで、補助情報アクセス制御部Ｂ４２１がシステム制御部１１４に対して補助情報アクセス要求を行う動作についてさらに詳しく説明する。再生制御部Ｄ４２０は、再生ＩＤ管理テーブル部１２４を管理する。図８に示す再生ＩＤ管理テーブル１２４の一例である再生ＩＤ管理テーブルＡ８２４は、光ディスク１１０に記録された複数のＭＰ３オーディオデータそれぞれについて、光ディスク１１０上でユニークな再生ＩＤ（１〜Ｎ）を付与し、それぞれ光ディスク上の絶対記録位置を対応付けたものである。ただし、再生ＩＤについては、特に自然数の連続番号に制限したものである必要はなく、また、絶対記録位置については、必ずしも必要ではない。再生制御部Ｄ４２０は、このような再生ＩＤ管理テーブルＡ８２４を参照し、再生動作中、再生ＩＤ履歴記憶部Ａ４２５に、これまでに再生したすべての（あるいは有限個の）ＭＰ３オーディオデータの再生ＩＤを一時記憶しておく。また、同時に、補助情報履歴格納部Ａ４２８に、これまでに再生したすべての（あるいは有限個の）ＭＰ３オーディオデータに付加された補助情報
（ＩＤ３タグ）を再生ＩＤと対応させて記憶しておく。そして、現在再生しているＭＰ３オーディオデータの再生が終わった際、次のＭＰ３オーディオデータの再生を行う処理に移行するが、この時、再生ＩＤ比較部Ｂ４２６により、次に再生するＭＰ３オーディオデータの再生ＩＤと、これまでに再生ＩＤ履歴記憶部Ａ４２５に一時記憶しておいたこれまで再生したすべての（あるいは有限個の）ＭＰ３オーディオデータの再生ＩＤを比較し、もし同一ＩＤが存在すれば、補助情報アクセス要否判定部Ｂ４２７により、補助情報アクセス制御部Ｂ４２１に対して補助情報アクセスの指示を行わず、再生ＩＤとともに補助情報再利用の指示を行うことにより、補助情報アクセス制御部Ｂ４２１は、システム制御部１１４に対して光ディスク１１０から補助情報を再取得するためのアクセス要求を行わず、補助情報履歴格納部Ａ４２８に対して、記憶しておいた補助情報（ＩＤ３タグ）の中から指定した再生ＩＤに対応する補助情報（ＩＤ３タグ）を取得するための要求を行って補助情報（ＩＤ３タグ）の再利用を実現する。
【００５６】
なお、図９に再生ＩＤ管理テーブル１２４の一例である再生ＩＤ管理テーブルＢ９２４を示す。再生ＩＤ管理テーブルＢ９２４は、光ディスク１１０を特定するために光ディスクごとにユニークな光ディスクＩＤ（１〜Ｍ）を付与し、さらに、光ディスク１１０に記録された複数のＭＰ３オーディオデータそれぞれについて、光ディスク１１０上でユニークな再生ＩＤ（１〜Ｎ）を付与し、それぞれ光ディスク上の絶対記録位置を対応付けたものである。ただし、光ディスクＩＤ、再生ＩＤについては、特に自然数の連続番号に制限したものである必要はなく、また、絶対記録位置については、必ずしも必要ではない。このように、再生ＩＤだけでなく、同時に光ディスクＩＤも管理し、再生ＩＤ履歴記憶部Ａ４２５、再生ＩＤ比較部Ｂ４２６、補助情報履歴格納部Ａ４２８において、光ディスクＩＤと再生ＩＤのペアを再生ＩＤとして同様に処理することにより、複数の光ディスクにまたがって上記処理を実現することも可能である。
【００５７】
（実施の形態５）
以下、本発明の実施の形態５における、記録媒体制御装置について、図面を参
照しつつ説明する。図５は、本実施の形態５の光ディスク制御装置の構成を示すブロック図であり、前出の図６、図７および図８を併用して説明する。
【００５８】
図５に示すように、光ディスク制御装置５００は、スピンドルモータ部１１１、光ピックアップ部１１２、トラバースモータ部１１３、システム制御部１１４、再生制御部Ｄ４２０、補助情報アクセス制御部Ｂ４２１、再生データアクセス制御部１２２、再生ＩＤ管理テーブル部１２４、再生ＩＤ履歴記憶部Ｂ５２５、再生ＩＤ比較部Ｂ４２６、補助情報アクセス要否判定部Ｂ４２７、補助情報履歴格納部Ｂ５２８、再生頻度判定部５２９を含んで構成される。
【００５９】
図５における光ディスク１１０には、図６に示すＭＰ３オーディオデータ６１１およびＩＤ３タグ６１２からなるＭＰ３データ６１０が複数組記録される。
【００６０】
このように構成された光ディスク制御装置５００について、図を用いて説明する。図５に示すように、光ディスク制御装置５００は、スピンドルモータ部１１１によって光ディスク１１０を回転させながら、トラバースモータ部１１３によって光ピックアップ部１１２を移動させて光ディスク１１０上に記録されたデータを読み取り、システム制御部１１４によって読み取ったデータを信号処理し、再生信号としてＬ信号、Ｒ信号を出力する。また、光ディスク１１０からデータを読み取る際の光ピックアップ部１１２のフォーカスサーボ制御およびトラッキングサーボ制御と、光ディスク１１０を安定に回転させるためのスピンドルモータ部１１１の回転制御と、光ピックアップ１１２を光ディスク１１０上の目的アクセス位置に移動させるためのトラバースモータ部１１３の回転制御についても、システム制御部１１４により行う。
【００６１】
ここで、外部からキー入力があった場合、再生制御部Ｄ４２０は、キー入力に従って動作する。例えば、停止状態において、ＰＬＡＹキーのキー入力があった場合、再生制御部Ｄ４２０は、信号を再生するために再生データアクセス制御部１２２に対して指示を行い、再生データアクセス制御部１２２は、システム制御
部１１４に対して再生データアクセスを要求する。システム制御部１１４は、その再生データアクセス要求により、スピンドルモータ部１１１、トラバースモータ部１１３を制御し、光ディスク１１０上の目的の再生データ位置に光ピックアップ１１２を移動させて目的の再生データを読み取り、読み取ったデータを信号処理し、再生信号としてＬ信号、Ｒ信号を出力する。さらに、再生データに補助情報（ＩＤ３タグ）が付加されている場合、再生制御部Ｄ４２０は、補助情報（ＩＤ３タグ）を取得するために補助情報アクセス制御部Ｂ４２１に対して指示を行い、補助情報アクセス制御部Ｂ４２１は、システム制御部１１４に対して補助情報アクセスを要求する。システム制御部１１４は、その補助情報アクセス要求により、スピンドルモータ部１１１、トラバースモータ部１１３を制御し、光ディスク１１０上の目的の補助情報（ＩＤ３タグ）位置に光ピックアップ１１２を移動させて目的の補助情報（ＩＤ３タグ）を読み取り、読み取った補助情報（ＩＤ３タグ）を再生制御部Ｄ４２０により解析して表示出力する。
【００６２】
上記ＰＬＡＹキーのキー入力があった場合、図５において、再生データアクセス制御部１２２および補助情報アクセス制御部Ｂ４２１は、システム制御部１１４に対して再生データアクセスおよび補助情報アクセスを要求するが、再生制御部Ｄ４２０は、再生を開始する時点で補助情報であるＩＤ３タグ（例えばタイトル名など）を表示出力する必要があるため、ＭＰ３データを再生する場合は、図７に示すように、いきなり光ピックアップ１１２を再生データ記録部７１０に記録されたＭＰ３オーディオデータの先頭位置である（１）の位置に移動するのではなく、まず補助情報記録部７１１に記録されたＩＤ３タグを取得するために、補助情報アクセス要求によって、光ピックアップ部１１２を（３）の位置まで移動し、（３）から（４）の位置まで移動しながらＩＤ３タグを読み取る。そして、ＩＤ３タグの読み取り完了後、再生データ記録部７１０に記録されたＭＰ３オーディオデータを再生するために、再生データアクセス要求によって、光ピックアップ部１１２を（１）の位置まで戻し、（１）から（２）の位置まで移動しながらＭＰ３オーディオデータを読み取りながら再生する。
【００６３】
ここで、補助情報アクセス制御部Ｂ４２１がシステム制御部１１４に対して補助情報アクセス要求を行う動作についてさらに詳しく説明する。再生制御部Ｄ４２０は、再生ＩＤ管理テーブル部１２４を管理する。図８に示す再生ＩＤ管理テーブル１２４の一例である再生ＩＤ管理テーブルＡ８２４は、光ディスク１１０に記録された複数のＭＰ３オーディオデータそれぞれについて、光ディスク１１０上でユニークな再生ＩＤ（１〜Ｎ）を付与し、それぞれ光ディスク上の絶対記録位置を対応付けたものである。ただし、再生ＩＤについては、特に自然数の連続番号に制限したものである必要はなく、また、絶対記録位置については、必ずしも必要ではない。再生制御部Ｄ４２０は、このような再生ＩＤ管理テーブルＡ８２４を参照し、再生動作中、再生ＩＤ履歴記憶部Ｂ５２５に、これまでに再生したすべての（あるいは有限個の）ＭＰ３オーディオデータの再生ＩＤを一時記憶しておく。また、同時に、補助情報履歴格納部Ｂ５２８に、これまでに再生したすべての（あるいは有限個の）ＭＰ３オーディオデータに付加された補助情報（ＩＤ３タグ）を再生ＩＤと対応させて記憶しておく。そして、現在再生しているＭＰ３オーディオデータの再生が終わった際、次のＭＰ３オーディオデータの再生を行う処理に移行するが、この時、再生ＩＤ比較部Ｂ４２６により、次に再生するＭＰ３オーディオデータの再生ＩＤと、これまでに再生ＩＤ履歴記憶部Ｂ５２５に一時記憶しておいたこれまで再生したすべての（あるいは有限個の）ＭＰ３オーディオデータの再生ＩＤを比較し、もし同一ＩＤが存在すれば、補助情報アクセス要否判定部Ｂ４２７により、補助情報アクセス制御部Ｂ４２１に対して補助情報アクセスの指示を行わず、再生ＩＤとともに補助情報再利用の指示を行うことにより、補助情報アクセス制御部Ｂ４２１は、システム制御部１１４に対して光ディスク１１０から補助情報を再取得するためのアクセス要求を行わず、補助情報履歴格納部Ｂ５２８に対して、記憶しておいた補助情報（ＩＤ３タグ）の中から指定した再生ＩＤに対応する補助情報（ＩＤ３タグ）を取得するための要求を行って補助情報（ＩＤ３タグ）の再利用を実現する。さらに、再生ＩＤ履歴記憶部Ｂ５２５および補助情報履歴格納部Ｂ５２８に、これまで再生したすべての（あるいは有限個の）再生ＩＤや補助情報（ＩＤ３タグ）を覚えておくためには、巨大なメモリが必要となるため、再生頻度判定部５２９により、再生さ
れる再生ＩＤを常時監視し続け、再生頻度の低い再生ＩＤについては、再生ＩＤ履歴記憶部Ｂ５２５および補助情報履歴格納部Ｂ５２８に対して、削除命令を指示することにより、記憶する再生ＩＤと補助情報（ＩＤ３タグ）を最小限に抑制し、再生頻度の高い再生ＩＤのみに対する補助情報（ＩＤ３タグ）の再利用をより効率的に実現する。
【００６４】
なお、図９に示す再生ＩＤ管理テーブル１２４の一例である再生ＩＤ管理テーブルＢ９２４は、実施の形態４で述べたように、光ディスク１１０を特定するために光ディスクごとにユニークな光ディスクＩＤ（１〜Ｍ）を付与し、さらに、光ディスク１１０に記録された複数のＭＰ３オーディオデータそれぞれについて、光ディスク１１０上でユニークな再生ＩＤ（１〜Ｎ）を付与し、それぞれ光ディスク上の絶対記録位置を対応付けたものである。このように、再生ＩＤだけでなく、同時に光ディスクＩＤも管理し、再生ＩＤ履歴記憶部Ｂ５２５、再生ＩＤ比較部Ｂ４２６、補助情報履歴格納部Ｂ５２８、再生頻度判定部５２９において、光ディスクＩＤと再生ＩＤのペアを再生ＩＤとして同様に処理することにより、複数の光ディスクにまたがって上記処理を実現することも可能である。
【００６５】
また、上記各実施の形態では、記録媒体制御装置が制御する記録媒体が光ディスクであるとして、スピンドルモータ、トラバースモータ、光ピックアップを組み合わせて記録媒体からデータを読み取る構成として説明したが、記録媒体としては、光ディスクに限らず、磁気ディスクなど、これ以外の記録媒体を用いることも可能であり、従って記録媒体からのピックアップ手段としては、光ピックアップに限らずこれ以外の読み取り構成も適用可能であるため、それらを除外するものではない。
【００６６】
また、上記各実施の形態では、光ディスクに記録された再生データがＭＰ３オーディオデータであり、ＭＰ３オーディオデータの末尾に補助情報（ＩＤ３タグ）が付加されている場合として説明したが、これに限らず、ＭＰ３オーディオデータの先頭に補助情報（ＩＤ３タグ）が付加されている場合や、ＭＰＥＧビデオ
データ、ＷＭＡ（Ｗｉｎｄｏｗｓ（Ｒ）  Ｍｅｄｉａ  Ａｕｄｉｏ）データなど、補助情報を含んだ様々なデータについても適用可能であるため、それらを除外するものではない。
【００６７】
さらに、上記各実施の形態では、光ピックアップの移動をトラバースモータにより実現する構成として説明したが、アーム式（ある支点を基準に円弧上に移動する方式）の場合など、ピックアップ手段を駆動するピックアップ駆動手段にはこれ以外の構成も適用可能であるため、それらを除外するものではない。
【００６８】
【発明の効果】
以上説明したように本発明の記録媒体制御装置によれば、たとえば光ディスクなどの記録媒体に記録された、たとえばＭＰ３オーディオデータなどの再生データを再生しながら、それに付随するたとえばＩＤ３タグなどの補助情報をＬＣＤなどの表示媒体に表示するような記録媒体制御装置を電池で動作させる場合において、
（１）現在再生しているオーディオデータのＩＤと次回再生するオーディオデータのＩＤが等しい場合、次回再生時、ＩＤタグなどの補助情報を記録媒体から取得する制御を抑制することにより、アクセス手段、すなわち光ピックアップのトラバースモータによる移動などを行わずに内部メモリからＩＤ３タグなどの補助情報の再利用が可能であるため、アクセス手段の電流消費を抑制し、電池動作持続時間の増大が実現できる。
【００６９】
（２）現在再生している再生モードが１曲リピートモードである場合、繰り返し２回目以降は、補助情報を記録媒体から取得する制御を抑制することにより、アクセス手段による移動を行わずに内部メモリから補助情報の再利用が可能であるため、トラバースモータの電流消費を抑制し、電池動作持続時間の増大が実現できる。
【００７０】
（３）オーディオデータ再生中、キー入力などにより、そのオーディオデータ
の先頭または途中に戻って再生再開する場合、再生再開時、補助情報を光ディスクから取得する制御を抑制することにより、アクセス手段による移動を行わずに内部メモリから補助情報の再利用が可能であるため、アクセス手段の電流消費を抑制し、電池動作持続時間の増大が実現できる。
【００７１】
（４）これまでに再生したオーディオデータのＩＤを記憶しておき、次回再生するオーディオデータのＩＤが過去に再生済みである場合、次回再生時、補助情報を記録媒体から取得する制御を抑制することにより、アクセス手段による移動を行わずに内部メモリから補助情報の再利用が可能であるため、アクセス手段の電流消費を抑制し、電池動作持続時間の増大が実現できる。
【００７２】
（５）これまでに再生したオーディオデータのＩＤを再生頻度に応じて最小限に記憶しておき、次回再生するオーディオデータのＩＤが過去に再生済みである場合、次回再生時、補助情報を記録媒体から取得する制御を抑制することにより、アクセス手段の移動を行わずに内部メモリから補助情報の再利用が可能であるため、アクセス手段の電流消費を抑制し、電池動作持続時間の増大が実現できるとともに、補助情報格納用の内部メモリを最小限に抑制することができる。
【図面の簡単な説明】
【図１】
本発明の実施の形態１における記録媒体制御装置（光ディスク制御装置）の構成を示すブロック図
【図２】
本発明の実施の形態２における記録媒体制御装置の構成を示すブロック図
【図３】
本発明の実施の形態３における記録媒体制御装置の構成を示すブロック図
【図４】
本発明の実施の形態４における記録媒体制御装置の構成を示すブロック図
【図５】
本発明の実施の形態５における記録媒体制御装置の構成を示すブロック図
【図６】
本発明の各実施の形態における、曲データであるＭＰ３データのデータ構成を示す図
【図７】
本発明の各実施の形態における光ディスク上の再生データ記録部の状態および補助情報記録部を読み取る光ピックアップの動作を示す図
【図８】
本発明の各実施の形態における再生ＩＤ管理テーブルの一例を示す図
【図９】
本発明の各実施の形態における再生ＩＤ管理テーブルの一例を示す図
【図１０】
従来の記録媒体制御装置（光ディスク制御装置）の構成を示すブロック図
【符号の説明】
１００  光ディスク制御装置
１１０  光ディスク
１１１  スピンドルモータ部
１１２  光ピックアップ部
１１３  トラバースモータ部
１１４  システム制御部
１２０  再生制御部Ａ
１２１  補助情報アクセス制御部Ａ
１２２  再生データアクセス制御部
１２４  再生ＩＤ管理テーブル部
１２５  再生ＩＤ記憶部
１２６  再生ＩＤ比較部Ａ
１２７  補助情報アクセス要否判定部Ａ
１２８  補助情報格納部Ａ
２００  光ディスク制御装置
２２０  再生制御部Ｂ
２２６  １曲リピート比較部
２２８  補助情報格納部Ｂ
３００  光ディスク制御装置
３２０  再生制御部Ｃ
３２６  リバースＳＫＩＰキー比較部
４００  光ディスク制御装置
４２０  再生制御部Ｄ
４２１  補助情報アクセス制御部Ｂ
４２５  再生ＩＤ履歴記憶部Ａ
４２６  再生ＩＤ比較部Ｂ
４２７  補助情報アクセス要否判定部Ｂ
４２８  補助情報履歴格納部Ａ
５００  光ディスク制御装置
５２５  再生ＩＤ履歴記憶部Ｂ
５２８  補助情報履歴格納部Ｂ
５２９  再生頻度判定部